(57)【特許請求の範囲】
【請求項１】
装置本体と、この装置本体と一体化された液晶ディスプレイユニットと、を備えている情報処理装置であって、
上記装置本体は、載置面に置かれるベース部と、このベース部の後端から上向きに延びるスタンド部と、を含み、
上記ベース部は、パック状機器を収容する機器収容部を有するフラットな箱状であり、
上記スタンド部は、上記ベース部の上方に進むに従い上記ベース部の前方に向けて傾斜する前壁および後壁を有して、これら前壁と後壁との間に回路基板を収容する中空の箱状であり、上記ベース部および上記スタンド部は、夫々側壁を有するとともに、上記ベース部の側壁および上記スタンド部の側壁は、上記ベース部と上記スタンド部とに跨るように連続して折り曲げられた上記装置本体の側面を形成し、
上記回路基板は、上記スタンド部の後壁と向かい合う実装面を有し、この実装面に発熱するＣＰＵおよびこのＣＰＵを冷却するための冷却装置が設けられ、上記冷却装置は、上記スタンド部の幅方向に沿う中央部分に位置されているとともに、上記後壁は、上記スタンド部の幅方向に沿う中央部分が後方に向けて張り出すように円弧状に湾曲され、
上記液晶ディスプレイユニットは、上記スタンド部の上端に水平軸回りに回動可能に支持されたディスプレイカバーと、このディスプレイカバーの内面に固定された液晶ディスプレイモジュールと、この液晶ディスプレイモジュールの表示画面を露出させる開口部を有するディスプレイマスクと、を備え、この液晶ディスプレイユニットが上記スタンド部の前方において上記ベース部の上方に位置されていることを特徴とする情報処理装置。
【請求項２】
請求項１の記載において、上記スタンド部は、上記ベース部と同等の幅寸法を有することを特徴とする情報処理装置。
【請求項３】
請求項１の記載において、上記装置本体の側面に、この側面に沿って帯状に延びることで上記装置本体の側面形状を強調するためのサイドストライプ材が取り付けられていることを特徴とする情報処理装置。
【請求項４】
請求項３の記載において、上記装置本体のベース部は、上記機器収容部に連なる挿入口が開口された前面を有し、この前面は開閉可能なフロント扉によって覆われているとともに、このフロント扉の前面に上記サイドストライプ材に連続するフロントストライプ材が取り付けられていることを特徴とする情報処理装置。
【発明の詳細な説明】
【０００１】
【発明の属する技術分野】
本発明は、液晶ディスプレイユニットと装置本体とを一体化したデスクトップ形のパーソナルコンピュータのような情報処理装置に関する。
【０００２】
【従来の技術】
近年、液晶ディスプレイユニットを一体化し、全ての機能を一つに集約した、いわゆる液晶一体形のデスクトップ形パーソナルコンピュータが種々提供されている。この種のコンピュータは、CPUやハードディスク駆動装置等を収容した装置本体と、この装置本体に一体的に取り付けられた液晶ディスプレイユニットとを備えている。装置本体は縦長の箱状をなしており、この装置本体の前面に液晶ディスプレイユニットが設置されている。
【０００３】
そのため、液晶一体形のパーソナルコンピュータは、従来のCRTディスプレイを採用したタワー形のパーソナルコンピュータに比べて設置スペースが半分以下となり、パーソナルコンピュータを机の天板上に設置して使用する場合に省スペース化を図れるといった利点がある。
【０００４】
ところで、従来の液晶一体形のパーソナルコンピュータでは、比較的重量のある液晶ディスプレイユニットが装置本体の前方に位置されているため、この液晶ディスプレイユニットを含めたパーソナルコンピュータの重心位置が装置本体の前寄りとなる。
【０００５】
この際、装置本体は、省スペース化を目的として奥行き寸法が小さく設定されているので、例えば液晶ディスプレイユニットを前向きに押すような外力が加わった場合に、上記重心位置との兼ね合いから装置本体が前方に倒れ易くなることがあり得る。このため、従来の装置本体は、その前端下部に前方に張り出す板状の転倒防止脚を備えている。転倒防止脚は、液晶ディスプレイユニットの下方において載置面に接しており、これにより、装置本体と載置面との接触面積が確保されて、パーソナルコンピュータの据え付け姿勢が安定するようになっている。
【０００６】
【発明が解決しようとする課題】
ところが、従来の構成によると、装置本体の安定性を高める専用の転倒防止脚を必要とするので、部品点数が多くなり、製造コストを高める原因となる。しかも、転倒防止脚は、載置面上において装置本体の前端からオペレータの手元側に向けて延びているので、この転倒防止脚の存在が目に止まり易く、外観的な面で問題となる。
【０００７】
それとともに、装置本体にしても単なる四角形の箱状で機能一点張りの外観形状を有するに止まっているので、パーソナルコンピュータを側方や後方から見た時の外観が良いとは言い難く、この点においていま一歩改善の余地が残されている。
【０００８】
本発明は、このような事情にもとづいてなされたもので、装置本体を載置面に置いた時の姿勢が安定し、格別な転倒防止脚が不要となるとともに、スマートでスタイリッシュな外観が得られる情報処理装置の提供を目的とする。
【０００９】
【課題を解決するための手段】
上記目的を達成するため、本発明の一つの形態に係る情報処理装置は、
装置本体と、この装置本体と一体化された液晶ディスプレイユニットと、を備えている。
上記装置本体は、載置面に置かれるベース部と、このベース部の後端から上向きに延びるスタンド部と、を含んでいる。
上記ベース部は、パック状機器を収容する機器収容部を有するフラットな箱状である。
上記スタンド部は、上記ベース部の上方に進むに従い上記ベース部の前方に向けて傾斜する前壁および後壁を有して、これら前壁と後壁との間に回路基板を収容する中空の箱状であり、上記ベース部および上記スタンド部は、夫々側壁を有するとともに、上記ベース部の側壁および上記スタンド部の側壁は、上記ベース部と上記スタンド部とに跨るように連続して折り曲げられた上記装置本体の側面を形成している。
上記回路基板は、上記スタンド部の後壁と向かい合う実装面を有し、この実装面に発熱するＣＰＵおよびこのＣＰＵを冷却するための冷却装置が設けられている。冷却装置は、上記スタンド部の幅方向に沿う中央部分に位置されているとともに、上記後壁は、上記スタンド部の幅方向に沿う中央部分が後方に向けて張り出すように円弧状に湾曲されている。
さらに、上記液晶ディスプレイユニットは、上記スタンド部の上端に水平軸回りに回動可能に支持されたディスプレイカバーと、このディスプレイカバーの内面に固定された液晶ディスプレイモジュールと、この液晶ディスプレイモジュールの表示画面を露出させる開口部を有するディスプレイマスクと、を備えており、この液晶ディスプレイユニットが上記スタンド部の前方において上記ベース部の上方に位置されている。
【００１０】
このような構成によれば、スタンド部を前向きに傾斜させたことにより、重量物である液晶ディスプレイユニットがベース部の後端と前端との間の上方に位置し、装置全体の重心位置がベース部の周囲に外れることはない。このため、装置本体を載置面に置いた時のバランスが良好となり、装置本体の姿勢が安定する。
【００１１】
また、装置全体を側方又は斜め後方から見た時に、液晶ディスプレイユニットを支持する装置本体が単なる箱状ではなくて、略Ｌ形に曲げられた外観デザインとなるから、装置本体そのものが従来の箱形のものに比べてスマートでかつスタイリッシュに見える。
【００１２】
【発明の実施の形態】
以下本発明の実施の形態を、デスクトップ形のパーソナルコンピュータに適用した図面にもとづいて説明する。
【００１３】
図１は、情報処理装置としてのデスクトップ形のパーソナルコンピュータ１を示している。このコンピュータ１は、液晶一体形の装置本体２と、この装置本体２に接続して使用するキーボードユニット３とを備えている。これら装置本体２およびキーボードユニット３は、例えば机の天板のような水平な載置面４（図３および図７に示す）に設置されている。
【００１４】
図１および図２に示すように、装置本体２は、合成樹脂製のハウジング５を有している。このハウジング５は、ベース部６とスタンド部７とで構成されている。ベース部６は、B5サイズに対応するような幅寸法L1および奥行き寸法L2を有するフラットな四角形の箱状をなしている。このベース部６は、底壁８ａ、上壁８ｂ、左右の側壁８ｃ，８ｄおよび前壁８ｅを有し、その底壁８ａが上記載置面４に接している。
【００１５】
スタンド部７は、ベース部６と同等の幅寸法L1を保ったまま、このベース部６の後端から上向きに延びている。スタンド部７は、前壁１０ａ、後壁１０ｂ、左右の側壁１０ｃ，１０ｄおよび上壁１０ｅを有する中空の箱状をなしている。スタンド部７は、上方に進むに従いベース部６の前方に向けて傾斜されており、このスタンド部７の傾斜角度αは、好ましい例として約６５°に設定されている。そのため、スタンド部７の上端は、ベース部６の奥行き方向に沿う中間部の真上に位置されている。
【００１６】
スタンド部７の前壁１０ａは、平坦な板状をなしている。この前壁１０ａの下端は、ベース部６の上壁８ｂの後端に連なっている。スタンド部７の後壁１０ｂは、図１６に最も良く示されるように装置本体２の後方に向けて張り出すように円弧状に湾曲されており、その幅方向に沿う中央部に進むに従い前壁１０ａから遠ざけられている。このため、スタンド部７の厚み寸法は、幅方向に沿う中央部分において最も厚くなっている。
【００１７】
また、ベース部６の側壁８ｃ，８ｄとスタンド部７の側壁１０ｃ，１０ｄとは、互いに連続して装置本体２の側面を構成している。この側面は、図２や図１７に見られるように、ベース部６とスタンド部７とに跨るように側面視略Ｌ形に折り曲げられており、この曲げ形状が装置本体２の外観デザイン上の一つの特徴となっている。
【００１８】
図３や図４に示すように、装置本体２のハウジング５の内部には、骨格としての金属製のフレーム１２が収容されている。フレーム１２は、図５に最も良く示されるように、フレーム本体１３と、左右一対の補強板１４，１５と、ディスプレイ支持板１６とを備えている。
【００１９】
フレーム本体１３は、平坦な鋼板を装置本体２の側面形状に沿うように略Ｌ字形に折り曲げることで構成されている。このフレーム本体１３は、ベース部６の上壁８ｂに沿って水平に延びるベースフレーム部１３ａと、スタンド部７の前壁１０ａに沿って立ち上がるスタンドフレーム部１３ｂとを有し、これらベースフレーム部１３ａとスタンドフレーム部１３ｂとは、円弧状に湾曲された連結部１３ｃを介して互いに連結されている。
【００２０】
ベースフレーム部１３ａの左右の側縁部は、ベース部６の側壁８ｃ，８ｄの内面に隣接されている。このベースフレーム部１３ａの側縁部には、図６の（Ｂ）および図７の（Ｂ）に示すように、夫々下向きに折れ曲がるブラケット部１７ａ，１７ｂが形成されている。ブラケット部１７ａ，１７ｂは、ベース部６の側壁８ｃ，８ｄと向かい合っている。
【００２１】
スタンドフレーム部１３ｂの左右の側縁部は、スタンド部７の側壁１０ｃ，１０ｄの内面に隣接されている。このスタンドフレーム部１３ｂの側縁部には、図６の（Ｃ）および図７の（Ｃ）に示すように、夫々後向きに折れ曲がるブラケット部１８ａ，１８ｂが形成されている。ブラケット部１８ａ，１８ｂは、スタンド部７の側壁１０ｃ，１０ｄと向かい合っている。
【００２２】
そして、ベースフレーム部１３ａのブラケット部１７ａ，１７ｂとスタンドフレーム部１３ｂのブラケット部１８ａ，１８ｂとは、フレーム本体１３を折り曲げる際の妨げとならないように、連結部１３ｃに対応する位置で互いに連続することなく途切れている。
【００２３】
上記補強板１４，１５は、ベースフレーム部１３ａとスタンドフレーム部１３ｂとが一定の位置関係を保持し得るようにフレーム本体１３を補強するためのものである。これら補強板１４，１５は、鋼板よりも高硬度のステンレス鋼板にて構成され、夫々装置本体２の側面形状に沿うように略Ｌ字形に板金プレス加工されている。
【００２４】
図６に示すように、左側の補強板１４は、ベースフレーム部１３ａのブラケット部１７ａの外側面に重ね合わされる第１の部分１４ａと、スタンドフレーム部１３ｂのブラケット部１８ａの外側面に重ね合わされる第２の部分１４ｂと、これら第１および第２の部分１４ａ，１４ｂを連結する第３の部分１４ｃとを一体に有している。補強板１４の第１および第２の部分１４ａ，１４ｂは、複数のねじ１９を介してブラケット部１７ａ，１８ａに固定されており、この固定により第３の部分１４ｃがフレーム本体１３の連結部１３ｃの側方に位置されている。
【００２５】
図７に示すように、右側の補強板１５は、ベースフレーム部１３ａのブラケット部１７ｂの外側面に重ね合わされる第１の部分１５ａと、スタンドフレーム部１３ｂのブラケット部１８ｂの外側面に重ね合わされる第２の部分１５ｂと、これら第１および第２の部分１５ａ，１５ｂを連結する第３の部分１５ｃとを一体に有している。補強板１５の第１および第２の部分１５ａ，１５ｂは、複数のねじ２０を介してブラケット部１７ｂ，１８ｂに固定されており、この固定により第３の部分１５ｃがフレーム本体１３の連結部１３ｃの側方に位置されている。
【００２６】
左右の補強板１４，１５は、ベースフレーム部１３ａおよびスタンドフレーム部１３ｂと直交する方向に延びる縦長の断面形状を有している。このため、スタンドフレーム部１３ｂにこれをベースフレーム部１３ａに向けて押圧するような荷重が作用した時には、主に補強板１４，１５の第３の部分１４ｃ，１５ｃに上記荷重に十分に対抗し得るだけの応力が生じるようになっている。
【００２７】
また、補強板１４，１５は、夫々略Ｌ字形の一対の板金プレス加工部品２２ａ，２２ｂを互いに重ね合わせてスポット溶接することで構成されている。この理由は、補強板１４，１５でフレーム本体１３の曲げ強度を補うためには、補強板１４，１５としては肉厚が5mm程度のステンレス鋼板を用いる必要がある。しかしながら、5mm厚のステンレス鋼板を板金プレス加工するには、加圧力の大きな大型のプレス機械を必要とし、その分、設備が大規模なものとなってコスト高の原因となる。
【００２８】
しかるに、一対の板金プレス加工部品２２ａ，２２ｂを組み合わせることで補強板１４，１５の肉厚を確保すれば、一つの板金加工部品２２ａ，２２ｂの肉厚は半分の２．５mmで済むことになる。そのため、大型のプレス機械を導入する必要もなく、補強板１４，１５の製造コストを低減することができる。
【００２９】
図７に示すように、右側の補強板１５の第１の部分１５ａと、これに重なり合うベースフレーム部１３ａのブラケット部１７ｂとの中央部には、貫通孔２４が形成されている。貫通孔２４は、ベース部６の奥行き方向に沿う長孔状をなしており、この貫通孔２４の存在により、補強板１５の第１の部分１５ａおよびベースフレーム部１３ａのブラケット部１７ｂの高さ寸法が減じられている。この寸法減少に伴う強度不足を補うため、上記ブラケット部１７ｂの内面には、金属製の裏板２５が重ね合わされている。この裏板２５は、上記ねじ２０を利用してブラケット部１７ｂに固定されている。
【００３０】
また、右側の補強板１５の第２の部分１５ｂと、これに重なり合うスタンドフレーム部１３ｂのブラケット部１８ｂとの中央部には、スタンド部７の傾斜方向に沿って延びる切り欠き２６が形成されている。切り欠き２６は、補強板１５の第２の部分１５ｂの上縁に開口されており、この切り欠き２６の分だけ第２の部分１５ｂの高さ寸法が減じられている。この寸法減少に伴う強度不足を補うため、スタンドフレーム部１３ｂのブラケット部１８ｂの上縁部には、平板状のフランジ部２７が一体に形成されている。フランジ部２７は、切り欠き２６を跨ぐようにブラケット部１８ｂの長手方向に沿って延びている。このフランジ部２７は、ブラケット部１８ｂの上縁部から内向きに延出されて、上記スタンドフレーム部１３ｂと向かい合っている。
【００３１】
図５に示すように、上記フレーム１２のディスプレイ支持板１６は、補強板１４，１５の第２の部分１４ｂ，１５ｂの上端部間に跨ってねじ止めされている。このディスプレイ支持板１６は、スタンドフレーム部１３ｂの上端部において、スタンド部７の幅方向に沿って延びている。
【００３２】
図４および図７に示すように、ベースフレーム部１３ａの下面には、入・出力基板２８が支持されている。入・出力基板２８は、ベースフレーム部１３ａに沿って水平に配置されており、装置本体２のベース部６の右端部に位置されている。入・出力基板２８の右端部には、図２に示すような音量調整ダイヤル２９、ヘッドホン出力端子３０ａ，マイク入力端子３０ｂおよび音声データ入力端子３０ｃが一列に並べて配置されている。これら音量調整ダイヤル２９や各端子３０ａ〜３０ｃは、上記補強板１５の貫通孔２４の内側に位置されているとともに、上記ベース部６の右側面に露出されている。
【００３３】
また、入・出力基板２８の下面には、ハードディスク駆動装置３１が支持されている。ハードディスク駆動装置３１は、第１のコネクタ３２を介して入・出力基板２８に電気的に接続されている。
【００３４】
ベースフレーム部１３ａの下面には、図８に示すようなトレイ３３が支持されている。トレイ３３は、ベースフレーム部１３ａに沿って水平に配置されている。このトレイ３３は、ベースフレーム部１３ａと協働して上記ベース部６の内部に機器収容部３４を構成している。機器収容部３４は、ハードディスク駆動装置３１の側方に並べて配置されている。
【００３５】
機器収容部３４は、ベース部６の前壁８ｅに開けた挿入口３５（図１３に示す）に連なっている。この挿入口３５と向かい合う機器収容部３４の終端には、第２のコネクタ３６が配置されている。第２のコネクタ３６は、コネクタ基板３７に実装されており、このコネクタ基板３７は、ベースフレーム部１３ａの後端部に支持されている。
【００３６】
機器収容部３４には、挿入口３５を通じてパック状機器としてのCD-ROM駆動装置３８又はフロッピディスク駆動装置（図示せず）のいずれか一方が選択的に取り外し可能に挿入されている。CD-ROM駆動装置３８の挿入先端部には、第３のコネクタ３９が配置されている。第３のコネクタ３９は、CD-ROM駆動装置３８を機器収容部３４に完全に挿入した時に、上記第２のコネクタ３６に嵌合され、この嵌合により、CD-ROM駆動装置３８が機器収容部３４に保持されるようになっている。
【００３７】
図８ないし図１１に示すように、トレイ３３は、後方に向って延びるイジェクタ支持部４１を有している。このイジェクタ支持部４１の上面には、イジェクタ４２が取り付けられている。イジェクタ４２は、イジェクト板４３と、このイジェクト板４３を操作するイジェクトレバー４４と、このイジェクトレバー４４をロックするロックレバー４５とを備えている。
【００３８】
イジェクト板４３は、機器収容部３４の終端から挿入口３５に向けて進出する第１の位置（図１０に示す）と、機器収容部３４の終端に止まる第２の位置（図８および図９に示す）とに亘って前後方向にスライド可能にイジェクタ支持部４１の上面に支持されている。イジェクトレバー４４は、イジェクト板４３の後端部に第１のピン４６を介して連結されている。イジェクトレバー４４は、第１のピン４６に隣接した位置において、第２のピン４７を介してイジェクタ支持部４１の後端部に回動可能に支持されている。
【００３９】
イジェクトレバー４４は、第２のピン４７を支点としてイジェクト位置とイジェクト解除位置とに亘って選択的に回動されるようになっている。図１０に示すように、イジェクトレバー４４をイジェクト位置に向けて後方に回動させると、イジェクト板４３が第１の位置に向けて前方にスライドされ、このイジェクト板４３を介してCD-ROM駆動装置３８が機器収容部３４の挿入口３５から押し出される。また、図９に示すように、イジェクトレバー４４をイジェクト解除位置に回動させると、イジェクト板４３が機器収容部３４の終端に引っ込むようにスライドされ、このイジェクト板４３によるCD-ROM駆動装置３８の押し出しが解除される。
【００４０】
ロックレバー４５は、イジェクト板４３に隣接した位置においてトレイ３３の前後方向に沿って延びており、その長手方向に沿う中間部がトレイ３３の下面から突出する軸部３３ａに回動可能に支持されている。ロックレバー４５の後端部には、指掛け部４９と第１の係合部５０とが形成されている。指掛け部４９は、イジェクトレバー４４と共に上記スタンド部７の後壁１０ｂを貫通して外方に露出されている。第１の係合部５０は、ロックレバー４５からイジェクト板４３に向けて延びている。
【００４１】
このロックレバー４５は、上記イジェクト板４３が第２の位置にスライドされている時に、第１の係合部５０がイジェクト板４３に引っ掛かるロック位置（図８および図９に示す）と、この第１の係合部５０がイジェクト板４３から外れるロック解除位置（図１０および図１１に示す）とに亘って人為的に回動操作されるようになっている。
【００４２】
ロックレバー４５は、第１の係合部５０とは反対側の前端部に第２の係合部５１を有している。第２の係合部５１は、図９に示すようにロックレバー４５がロック位置に回動された時に、機器収容部３４に進出してCD-ROM駆動装置３８の側面の係合凹部３８ａに引っ掛かり、CD-ROM駆動装置３８を機器収容部３４にロックする。また、この第２の係合部５１は、図１０に示すようにロックレバー４５がロック解除位置に回動された時に、CD-ROM駆動装置３８の係合凹部３８ａから離脱し、機器収容部３４に対するCD-ROM駆動装置３８のロックを解除するようになっている。
【００４３】
そのため、ロックレバー４５がロック位置にある限り、イジェクトレバー４４をイジェクト位置に回動させることはできず、ロックレバー４５の第２の係合部５１がCD-ROM駆動装置３８の係合凹部３８ａに引っ掛かっていることと合わせて、CD-ROM駆動装置３８の誤ったイジェクト操作を防止し得るようになっている。
【００４４】
ロックレバー４５は、第１の係合部５０に隣接した位置に第３の係合部５２を有している。第３の係合部５２は、コネクタ基板３７の下方に位置され、このコネクタ基板３７の下面に実装された検出スイッチ５４と向かい合っている。第３の係合部５２は、図９に示すようにロックレバー４５がロック位置に移動された時に、検出スイッチ５４のアクチュエータ５４ａから離脱してこの検出スイッチ５４をＯＮするとともに、図１０に示すようにロックレバー４５がロック解除位置に回動された時に、検出スイッチ５４のアクチュエータ５４ａに接触してこの検出スイッチ５４をＯＦＦするようになっている。
【００４５】
このため、検出スイッチ５４は、ロックレバー４５の位置を検出することでCD-ROM駆動装置３８への通電をＯＮ／ＯＦＦ制御するようになっており、ロックレバー４５がロック解除位置にあってイジェクトレバー４４をイジェクト位置に操作し得るような状況のもとでは、CD-ROM駆動装置３８への通電がＯＦＦされる。
【００４６】
図４に示すように、入・出力基板２８、トレイ３３およびコネクタ基板３７は、下方から第１のシールド板５６によって覆われている。第１のシールド板５６は、上記補強板１４，１５の第１の部分１４ａ，１５ａの下端にねじ止めされて、フレーム本体１２と一体化されている。第１のシールド板５６は、ベース部６の底壁８ａに沿って平行に配置されており、この第１のシールド板５６の後端部には、スタンド部７の内部に進出する立ち上がり壁５７が形成されている。
【００４７】
第１のシールド板５６は、フレーム本体１３のベースフレーム部１３ａや補強板１４，１５の第１の部分１４ａ，１５ａと協働して入・出力基板２８、機器収容部３４およびコネクタ基板３７を取り囲んでおり、ベース部６からの電磁ノイズの漏洩を防止している。
【００４８】
図１２および図１３に示すように、ベース部６の前端部には、フロント扉５９が配置されている。フロント扉５９は、ベース部６の全幅に亘って延びており、このフロント扉５９の左右両端部がベース部６の側壁８ｃ，８ｄに連なっている。フロント扉５９は、上記ベース部６の前壁８ｅや挿入口３５を覆い隠す閉じ位置（図１２に示す）と、ベース部６の前方に倒れ込んで前壁８ｅや挿入口３５を露出させる開き位置（図１３に示す）とに亘って開閉可能にベース部６の前端部に支持されている。
【００４９】
そのため、機器収容部３４に対するCD-ROM駆動装置３８又はフロッピーディスク駆動装置の出し入れ操作は、フロント扉５９を開き位置に回動させた状態で行われる。
【００５０】
図２、図１６および図１７に示すように、略Ｌ字状に折り曲げられた装置本体２の左右の側面には、夫々装飾用のサイドストライプ材６０が取り付けられている。サイドストライプ材６０は、装置本体２との接触面に両面接着テープ６１を有しており、この両面接着テープ６１を介して装置本体２の側面に取り外し可能に貼り付けられている。サイドストライプ材６０は、質感が高く、かつ指先で触れた時の感触に優れたゴム材料にて構成されている。このサイドストライプ材６０は、装置本体２とは異なる色に着色されているとともに、この装置本体２の側面に沿って帯状に延びており、装置本体２の側面形状を強調するアクセントカラーとしての機能を有している。
【００５１】
フロント扉５９の前面には、装飾用のフロントストライプ材６２が取り付けられている。フロントストライプ材６２は、上記サイドストライプ材６０と同様のゴム材料にて構成されているとともに、このサイドストライプ材６０と同じ色に着色されている。フロントストライプ材６２は、図示しない両面接着テープを介してフロント扉５９に取り外し可能に接着されており、ベース部６の幅方向に沿って帯状に延びている。
【００５２】
図１２に示すように、フロントストライプ材６２の両端部は、フロント扉５９を閉じた時に上記サイドストライプ材６０の前端部に連なっている。フロントストライプ材６２の両端部は、図１４に最も良く示されるように、円弧状に湾曲されてフロント扉５９の両側部に回り込んでおり、このフロントストライプ材６２の両端部には、Ｈ形の断面形状を有する係止部６３が一体に形成されている。係止部６３は、フロント扉５９の両側部の溝６４に嵌め込まれており、この嵌め込みにより、フロントストライプ材６２の両端部の浮き上がりが抑え込まれている。
【００５３】
なお、サイドストライプ材６０およびフロントストライプ材６２は、夫々色合いの異なるものが複数準備されており、オペレータの好みに応じた色のストライプ材６０，６２に自由に交換し得るようになっている。この場合、各ストライプ材６０，６２は、装置本体２の側面およびフロント扉５９の前面に単に貼り付けられているにすぎないので、装置本体２を分解することなくストライプ材６０，６２の交換作業を行うことができる。
【００５４】
図４、図１５および図１６の（Ａ）に示すように、装置本体２のスタンド部７の内部には、メインの回路基板６６が収容されている。回路基板６６は、上記フレーム１２のスタンドフレーム部１３ｂにねじ止めされて、装置本体２のスタンド部７に沿うように傾斜されている。
【００５５】
この回路基板６６は、フレーム１２の補強板１４，１５およびディスプレイ支持部１６とで囲まれる部分にきっちりと収まるような大きさを有しており、その下端部が図示しないフレキシブル配線基板を介して上記入・出力基板２８に電気的に接続されている。そして、この回路基板６６は、スタンド部７の後壁１０ｂと向かい合う第１の実装面６７ａと、フレーム１２のスタンドフレーム部１３ｂと向かい合う第２の実装面６７ｂとを有している。
【００５６】
回路基板６６の第１の実装面６７ａには、CPUソケット６９が実装されている。CPUソケット６９は、装置本体２を後方から見た時に回路基板６６の上端右側部に位置されており、このCPUソケット６９に半導体パッケージ７０が実装されている。半導体パッケージ７０は、CPUを構成するＩＣチップ７１を備えている。ＩＣチップ７１は、文字、音声および画像のような多用なマルチメディア情報を処理するため動作中の消費電力が増加しており、それに伴いＩＣチップ７１の発熱量も冷却を必要とする程に大きなものとなっている。
【００５７】
回路基板６６の第１の実装面６７ａ上には、ＩＣチップ７１の放熱を促進させる冷却装置７３が設置されている。冷却装置７３は、ヒートシンク７４、電動式のファンユニット７５およびヒートパイプ７６とを備えている。
【００５８】
ヒートシンク７４は、アルミニウム合金のような熱伝導性に優れた金属材料にて構成されている。このヒートシンク７４は、多数の放熱突起７８が突設された放熱板７９を有し、この放熱突起７８の上にファンユニット７５が重ねて設置されている。ファンユニット７５は、図示しないモータによって駆動されるファン７５ａを有し、このファン７５ａがヒートシンク７４の放熱突起７８と向かい合っている。ヒートシンク７４およびファンユニット７５は、ブラケット８０を介して回路基板６６およびフレーム１２のディスプレイ支持板１６に固定されており、そのヒートシンク７４の放熱板７９が半導体パッケージ７０の左隣において回路基板６６の第１の実装面６７ａと向かい合っている。
【００５９】
ヒートシンク７４およびファンユニット７５は、スタンド部７の内部において、その幅方向に沿う中央部分に位置されている。このスタンド部７の中央部分では、後壁１０ｂが後方に張り出すように円弧状に湾曲されて、スタンド部７の厚み寸法が最も厚くなっている。このため、スタンド部７の中央部分に、互いに重ね合わされたヒートシンク７４とファンユニット７５とを収めるスペースを十分に確保することができる。
【００６０】
ヒートパイプ７６は、ＩＣチップ７１とヒートシンク７４とに跨って配置されている。ヒートパイプ７６の受熱側の端部には、受熱ブロック８１が固定されている。受熱ブロック８１は、アルミニウム合金のような熱伝導性に優れた金属材料にて構成されており、この受熱ブロック８１にヒートパイプ７６の受熱側の端部が熱的に接続されている。そして、受熱ブロック８１は、板ばねを用いたホルダ８２を介してＩＣチップ７１に押し付けられており、この受熱ブロック８１とＩＣチップ７１との間には伝熱シート（図示せず）が介在されている。ヒートパイプ７６の放熱側の端部は、ヒートシンク７４の放熱板７９に嵌合され、この放熱板７９に熱的に接続されている。
【００６１】
なお、冷却装置７３は、スタンド部７の後壁１０ｂによって覆われており、この後壁１０ｂには、ファンユニット７５のファン７５ａと向かい合う複数の排気口９０が形成されている。
【００６２】
このような構成の冷却装置７３において、半導体パッケージ７０のＩＣチップ７１が発熱すると、このＩＣチップ７１の熱は、受熱ブロック８１に伝えられる。この受熱ブロック８１に伝えられた熱は、ヒートパイプ７６を介して積極的にヒートシンク７４に移され、このヒートシンク７４への熱伝導による拡散により外方に放出される。
【００６３】
ＩＣチップ７１の温度が予め決められた値を上回ると、ファン７５ａが回転し、スタンド部７内の空気がヒートシンク７４に向けて流れる。この空気の流れによりヒートシンク７４が強制的に冷却され、このヒートシンク７４を冷却した空気は、排気口９０を通じてスタンド部７の外方に排出される。そのため、ヒートパイプ７６を介してヒートシンク７４に移されたＩＣチップ７１の熱を効率良くスタンド部７の外方に放出することができ、ＩＣチップ７１の動作保証温度を適正値に保持することができる。
【００６４】
図１５に示すように、回路基板６６には、電源回路部８５が設置されている。電源回路部８５は、半導体パッケージ７０の下方に位置されている。この電源回路部８５は、回路基板６６の第１および第２の実装面６７ａ，６７ｂに実装された多数の回路部品８６を有している。これら回路部品８６のうち発熱量の大きなパワートランジスタ８７は、図４に示すように回路基板６６の第２の実装面６７ｂに実装され、上記フレーム１２のスタンドフレーム部１３ｂと向かい合っている。
【００６５】
また、図４に示すように回路基板６６の第２の実装面６７ｂには、画像情報を処理する発熱量の大きなビデオチップ８８が実装されている。ビデオチップ８８は、回路基板６６の上端左側部に位置され、上記フレーム１２のスタンドフレーム部１３ｂと向かい合っている。
【００６６】
パワートランジスタ８７とスタンドフレーム部１３ｂとの間およびビデオチップ８８とスタンドフレーム部１３ｂとの間には、夫々伝熱シート８９が介在されている。伝熱シート８９は、パワートランジスタ８７とスタンドフレーム部１３ｂおよびビデオチップ８８とスタンドフレーム部１３ｂとを熱的に接続している。
【００６７】
そのため、パワートランジスタ８７およびビデオチップ８８の熱は、スタンドフレーム部１３ｂへの伝達によりフレーム１２の全体に拡散されるようになっており、このフレーム１２がパワートランジスタ８７やビデオチップ８８の放熱を促進させる一種のヒートシンクとして機能している。
【００６８】
図１５に示すように、回路基板６６の第１の実装面６７ａには、図示しないPCカードを収容するカードホルダ９１が実装されている。カードホルダ９１は、フラットな箱状をなしており、上記フレーム１２の切り欠き２６を介してスタンド部７の右側面のカードスロット９２に連なっている。
【００６９】
図１５および図１７に示すように、回路基板６６の第１の実装面６７ａには、電源コネクタ９３およびUSBコネクタ９４が実装されている。これらコネクタ９３，９４は、回路基板６６の下端左側部において横方向に並べて配置されており、このUSBコネクタ９４の側方には、LAN接続用のモジュラーコネクタ９５が配置されている。
【００７０】
図１８に最も良く示されるように、電源コネクタ９３は、電源ケーブル９７のケーブルコネクタ９８が差し込まれる挿入口９３ａを有している。USBコネクタ９４は、上記キーボードユニット３から延びるUSBケーブル９９のケーブルコネクタ１００が差し込まれる一対の挿入口９４ａを有している。モジュラーコネクタ９５は、LANケーブル１０１のジャック１０２が差し込まれる挿入口９５ａを有している。これら各コネクタ９３〜９５の挿入口９３ａ〜９５ａは、スタンド部７の内部において、このスタンド部７の下方に向けて開口されているとともに、上記ベース部６よりも上方に位置されている。
【００７１】
図４および図１６に示すように、スタンド部７の後壁１０ｂの内面には、第２のシールド板１０５が取り付けられている。第２のシールド板１０５は、後壁１０ｂに沿うように円弧状に湾曲されている。第２のシールド板１０５の上縁には、前方に延びるフランジ部１０６が形成されており、このフランジ部１０６の先端部は、フレーム１２のディスプレイ支持板１６の下方に入り込んでいる。
【００７２】
第２のシールド板１０５の左右の両側部は、上記補強板１４，１５の第２の部分１４ｂ，１５ｂに突き当てられている。また、第２のシールド板１０５の下縁部は、上記第１のシールド板５６の立ち上がり壁５７の上端に接している。このため、第２のシールド板１０５は、フレーム本体１３のスタンドフレーム部１３ｂ、補強板１４，１５の第２の部分１４ｂ，１５ｂおよびディスプレイ支持板１６と協働して回路基板６６を取り囲んでおり、スタンド部７からの電磁ノイズの漏洩を防止している。
【００７３】
図１７および図１８に示すように、上記スタンド部７の下端の左端部には、ケーブル挿通部１１０が形成されている。ケーブル挿通部１１０は、スタンド部７の後壁１０ｂに開口する開口部１１２を有するとともに、仕切り壁１１１を介してスタンド部７の内部と仕切られている。そして、このケーブル挿通部１１０の上端に上記各コネクタ９３〜９５の挿入口９３ａ〜９５ａが一列に並べて開口されている。
【００７４】
このため、電源ケーブル９７、USBケーブル９９およびLANケーブル１０１は、スタンド部７の下方から各コネクタ９３〜９５に接続されており、これらケーブル９７、９９、１０１を各コネクタ９３〜９５に接続した状態では、ケーブル９７、９９、１０１はスタンド部７の傾斜に沿うように下向きに引き出されている。
【００７５】
図１９に示すように、ケーブル挿通部１１０の開口部１１２は、取り外し可能なケーブルカバー１１３によって覆われている。ケーブルカバー１１３は、各コネクタ９３〜９５と各ケーブル９７，９９，１０１との接続部分を覆い隠すためのもので、スタンド部７の後壁１０ｂに沿うように円弧状に湾曲されている。そのため、ケーブルカバー１１３は、後壁１０ｂに面一に連続されて後壁１０ｂの一部を兼ねている。
【００７６】
ケーブルカバー１１３の下端部には、一つのケーブル挿通口１１４が形成されている。ケーブル挿通口１１４は、ケーブルカバー１１３の下縁に開口するような切り欠きにて構成され、このケーブル挿通口１１４を通じて各コネクタ９３〜９５に接続されたケーブル９７，９９，１０１が装置本体２の外方に引き出されている。
【００７７】
各コネクタ９３〜９５は、その挿入口９３ａ〜９５ａを下向きにした姿勢で回路基板６６に実装されているので、これらコネクタ９３〜９５に接続されたケーブル９７，９９，１０１は、スタンド部７の傾斜方向に沿って下向きに引き出されている。このため、ケーブル９７，９９，１０１がスタンド部７の後方に向けて張り出すことはなく、これらケーブル９７，９９，１０１とコネクタ９３〜９５との接続部をケーブルカバー１１３で覆い隠すようにしても、このケーブルカバー１１３がスタンド部７の後壁１０ｂの後方に突出することはない。
【００７８】
よって、ケーブルカバー１１３は、後壁１０ｂに沿うように円弧状に形成すれば良く、このケーブルカバー１１３の形状を簡略化できるとともに、スタンド部７の薄型化を達成することができる。
【００７９】
また、このケーブルカバー１１３によってケーブル９７，９９，１０１とコネクタ９３〜９５との接続部が覆い隠されるとともに、これらケーブル９７，９９，１０１は、一つのケーブル挿通口１１４から装置本体２の外方に一括して引き出されている。そのため、ケーブル９７，９９，１０１の配線経路がすっきりと纏まり、特にパーソナルコンピュータ１を後方から見た時の外観が良好となる。
【００８０】
図１および図３に示すように、上記装置本体２のスタンド部７の上端には、フラットな液晶ディスプレイユニット１２０が支持されている。液晶ディスプレイユニット１２０は、合成樹脂製のディスプレイハウジング１２１と、このディスプレイハウジング１２１に収容された液晶ディスプレイモジュール１２２とを備えている。
【００８１】
ディスプレイハウジング１２１は、ディスプレイカバー１２３とディスプレイマスク１２４とに分割されている。ディスプレイカバー１２３は、長方形の板状をなしており、このディスプレイカバー１２３の内面に液晶ディスプレイモジュール１２２がねじ止めされている。ディスプレイマスク１２４は、表示用の開口部１２５を有する四角形の枠状をなしており、この開口部１２５を通じて液晶ディスプレイモジュール１２２の表示画面１２２ａが外方に露出されている。
【００８２】
また、ディスプレイハウジング１２１は、上下方向に延びる幅狭い左右の側面を有している。このディスプレイハウジング１２１の側面には、夫々装飾用のサイドストライプ材１２６が取り付けられている。サイドストライプ材１２６は、図示しない両面接着テープを介してディスプレイハウジング１２１の側面に取り外し可能に貼り付けられている。サイドストライプ材１２６は、質感が高く、かつ指先で触れた時の感触に優れたゴム材料にて構成されている。このサイドストライプ材１２６は、ディスプレイハウジング１２１とは異なる色に着色されているとともに、このディスプレイハウジング１２１の側面に沿って帯状に延びており、一種のアクセントカラーとしての機能を有している。
【００８３】
図２１に示すように、ディスプレイカバー１２３は、スタンド部７の前壁１０ａの上部と向かい合う背面１２７を有している。この背面１２７の略中央部には、一対のヒンジ取り付け凹部１２８ａ，１２８ｂが形成されている。ヒンジ取り付け凹部１２８ａ，１２８ｂは、ディスプレイカバー１２３の幅方向に互いに離間して配置されている。
【００８４】
図２１や図２３に示すように、上記フレーム本体１３のディスプレイ支持部１６には、液晶ディスプレイユニット１２０を支持する一対の摩擦式のヒンジ金具１３０ａ，１３０ｂが取り付けられている。ヒンジ金具１３０ａ，１３０ｂは、夫々第１のブラケット１３１、第２のブラケット１３２およびこれらブラケット１３１，１３２の間に跨るヒンジ軸１３３とを有している。
【００８５】
第１のブラケット１３１は、ディスプレイ支持部１６にねじ止めされた基部１３４と、この基部１３４から上向きに延びる軸受部１３５とを有し、この軸受部１３５にヒンジ軸１３３が軸回り方向に回動可能に支持されている。そして、これらヒンジ金具１３０ａ，１３０ｂのヒンジ軸１３３は、互いに同軸状をなして水平に配置されている。
【００８６】
第２のブラケット１３２は、ヒンジ軸１３３に固定された軸支持部１３６と、この軸支持部１３６に連なる連結部１３７とを有している。軸支持部１３６は、軸受部１３５に隣接されており、これら軸支持部１３６と軸受部１３５との間および軸支持部１３６とヒンジ軸１３３との間には、ヒンジ軸１３３に摩擦抵抗を付与することでその自由な回動を制限する波形座金１３８が介在されている。
【００８７】
第２のブラケット１３２の連結部１３７は、上記ディスプレイカバー１２３の背面１２７のヒンジ取り付け凹部１２８ａ，１２８ｂに嵌め込まれている。このヒンジ取り付け凹部１２８ａ，１２８ｂに対応するディスプレイカバー１２３の内面には、図２０に示すような金属製の補強板１４０が重ね合わされている。補強板１４０は、ディスプレイカバー１２３を挟んで第２のブラケット１３の連結部１３７と向かい合っている。これら補強板１４０と連結部１３７とは、ディスプレイカバー１２３を貫通する複数のねじ１４１を介して互いに結合されており、この補強板１４０によってヒンジ金具１３０ａ，１３０ｂの第２のブラケット１３２が受け止められている。
【００８８】
この結果、液晶ディスプレイユニット１２０は、ベース部６の上壁８ｂの中央部分の上方に縦置きの姿勢で保持されているとともに、水平なヒンジ軸１３３を支点として上下方向に所定の角度回動可能に装置本体２のスタンド部７に支持されており、表示画面１２２ａを見易い角度に液晶ディスプレイユニット１２０の傾斜角度を変えられるようになっている。
【００８９】
そして、この場合、液晶ディスプレイユニット１２０を上下に回動させた時の力は、主にディスプレイカバー１２３の内面に重ねられた金属製の補強板１４０によって受け止められるので、ディスプレイカバー１２３の中央部の変形や撓みを防止することができ、液晶ディスプレイユニット１２０の回動を滑らかに行うことができる。
【００９０】
図２０や図２１に示すように、ディスプレイカバー１２３の中央部および補強板１４０には、ケーブル挿通孔１４３が形成されている。ケーブル挿通孔１４３は、ヒンジ金具１３０ａ，１３０ｂの間に位置され、このケーブル挿通孔１４３を通じて液晶ディスプレイモジュール１２２と上記回路基板６６とを電気的に接続するケーブル１４４が配線されている。
【００９１】
また、ヒンジ金具１３０ａ，１３０ｂ、ディスプレイカバー１２３のヒンジ取り付け凹部１２８ａ，１２８ｂおよびケーブル１４４が通るケーブル挿通孔１４３は、ヒンジカバー１４５によって覆い隠されている。ヒンジカバー１４５は、ディスプレイカバー４３を貫通する一対のねじ１４６を介して補強板１４０に支持されている。
【００９２】
図２、図３および図２１に示すように、装置本体２のスタンド部７の上端には、運搬用のハンドル１５０が取り付けられている。ハンドル１５０は、手指で把持するグリップ部１５１と、このグリップ部１５１の両端に連なる一対のボス部１５２ａ，１５２ｂとを有し、これらボス部１５２ａ，１５２ｂの間に上記ヒンジ金具１３０ａ，１３０ｂが位置されている。
【００９３】
そして、本実施の形態の場合、ヒンジ金具１３０ａ，１３０ｂのヒンジ軸１３３は、夫々ボス部１５２ａ，１５２ｂに向けて同軸状に延びる延長部１５３を有し、これらヒンジ軸１３３の延長部１５３が上記ハンドル１５０のボス部１５２ａ，１５２ｂを軸回り方向に回動可能に貫通している。このため、ハンドル１５０は、液晶ディスプレイユニット１２０を支持するヒンジ軸１３３を利用して装置本体２に支持されている。
【００９４】
よって、ハンドル１５０は、ヒンジ軸１３３を支点としてスタンド部７の上方に張り出す使用位置（図２に示す）と、スタンド部７の後方に倒れ込む格納位置（図３に示す）とに亘って回動可能となっており、このハンドル１５０の回動中心と液晶ディスプレイユニット１２０の回動中心とが同一軸上に位置されている。
【００９５】
なお、スタンド部７の上壁１０ｅには、ハンドル１５０を格納位置に回動させた時に、このハンドル１５０のグリップ部１５１が入り込む格納溝１５４が形成されている。
【００９６】
このような構成のパーソナルコンピュータ１によると、ベース部６の後端から上向きに延びるスタンド部７を上方に進むに従い前向きに傾斜させたので、このスタンド部７の上端に支持された比較的重量のある液晶ディスプレイユニット１２０をベース部６の後端と前端との間の中間部分の上方に位置させることができる。このため、パーソナルコンピュータ１の重心がベース部６の周囲に外れて位置されることはなく、それ故、液晶一体形の装置本体２を載置面４に置いた時のバランスが良好となる。よって、装置本体２の姿勢が安定し、従来の格別な転倒防止脚が不要となる。
【００９７】
しかも、装置本体２を側方又は図２に示すように斜め後方から見た時に、液晶ディスプレイユニット１２０を支持する装置本体２が単なる縦長の箱状ではなくて、略Ｌ形に折り曲げられた外観デザインとなるから、装置本体２そのものが従来の箱形のものに比べてスマートでスタイリッシュに見える。したがって、上記転倒防止脚が不要となることと合わせて、パーソナルコンピュータ１の外観が良好となり、日常の生活空間にも違和感なく取り込むことができる。
【００９８】
また、上記構成によると、載置面４に置かれるベース部６の内部に振動を嫌うCD-ROM駆動装置３８やハードディスク駆動装置３１が収容されているので、これら両駆動装置３１，３８が装置本体２の重心よりも下方に位置される。このため、CD-ROM駆動装置３８やハードディスク駆動装置３１に振動が伝わり難くなるといった利点がある。
【００９９】
なお、装置本体のスタンド部の傾斜角度は、上記実施の形態に特定されるものではなく、９０°未満であれば良い。
【０１００】
【発明の効果】
以上詳述した本発明によれば、比較的重量のある液晶ディスプレイユニットをベース部の後端と前端との間の中間部分の上方に位置させることができるので、装置本体の重心がベース部の周囲に外れて位置されることはない。よって、液晶一体形の装置本体を載置面に置いた時のバランスが良好となり、その分、装置本体の姿勢が安定するとともに、格別な転倒防止脚も不要となる。
【０１０１】
しかも、装置本体を側方又は斜め後方から見た時に、液晶一体形の装置本体が単なる縦長の箱状ではなくて、略Ｌ形に折り曲げられた外観デザインとなるから、装置本体そのものが従来の箱形のものに比べてスマートでスタイリッシュに見える。したがって、上記転倒防止脚が不要となることと合わせて、情報処理装置の外観が良好となり、日常の生活空間に違和感なく取り込むことができる。
【図面の簡単な説明】
【図１】本発明の第１の実施の形態に係るデスクトップ形のパーソナルコンピュータの斜視図。
【図２】パーソナルコンピュータを後方から見た斜視図。
【図３】装置本体の断面図。
【図４】装置本体を断面して示すパーソナルコンピュータの側面図。
【図５】装置本体の骨格となるフレームの斜視図。
【図６】（Ａ）は、フレームの左側面図。
（Ｂ）は、図６（Ａ）のＡ−Ａ線に沿う断面図。
（Ｃ）は、図６（Ａ）のＢ−Ｂ線に沿う断面図。
【図７】（Ａ）は、フレームの右側面図。
（Ｂ）は、図７（Ａ）のＣ−Ｃ線に沿う断面図。
（Ｃ）は、図７（Ａ）のＤ−Ｄ線に沿う断面図。
【図８】イジェクタを有する機器収容部の平面図。
【図９】機器収容部にCD-ROM駆動装置を収容した状態を示す平面図。
【図１０】機器収容部からCD-ROM駆動装置をイジェクトした状態を示す平面図。
【図１１】機器収容部に収容されたCD-ROM駆動装置とイジェクタとの位置関係を示す斜視図。
【図１２】フロント扉を閉じた状態を示す装置本体のベース部の斜視図。
【図１３】フロント扉を開いてCD-ROM駆動装置を機器収容部に出し入れする状態を示す装置本体のベース部の斜視図。
【図１４】フロントストライプ材の端部をフロント扉に引っ掛けた状態を示す装置本体のベース部の斜視図。
【図１５】装置本体のスタンド部の内部構造を示すパーソナルコンピュータの斜視図。
【図１６】（Ａ）は、装置本体のスタンド部の断面図。
（Ｂ）は、図１６（Ａ）のＥ部を拡大して示す断面図。
【図１７】電源コネクタに接続された電源ケーブルの引き出し経路を示すパーソナルコンピュータの側面図。
【図１８】電源コネクタ、USBコネクタおよびモジュラーコネクタと、電源ケーブル、USBケーブルおよびLANケーブルとの位置関係を示すパーソナルコンピュータの斜視図。
【図１９】ケーブルカバーのケーブル挿通口からケーブルが引き出された状態を示すパーソナルコンピュータの斜視図。
【図２０】ディスプレイカバーと補強板との位置関係を示すパーソナルコンピュータの斜視図。
【図２１】装置本体と液晶ディスプレイユニットとの連結構造を示す断面図。
【図２２】補強板およびヒンジカバーの取り付け構造を示す断面図。
【図２３】ヒンジ金具のヒンジ軸とハンドルとの取り付け構造を示す斜視図。
【符号の説明】
２…装置本体、４…載置面、６…ベース部、７…スタンド部、８ｃ，８ｄ，１０ｃ，１０ｄ…側壁、１０ａ…前壁、１０ｂ…後壁、３４…機器収容部、３８…パック状機器（ＣＤ−ＲＯＭ駆動装置）、６６…回路基板、６７ａ…実装面（第１の実装面）、７１…ＣＰＵ（ＩＣチップ）、７３…冷却装置、１２０…液晶ディスプレイユニット、１２２…液晶ディスプレイモジュール、１２２ａ…表示画面、１２３…ディスプレイカバー、１２４…ディスプレイマスク、１２５…開口部。
【図１】
0004421011.tif 000002
【図２】
0004421011.tif 000003
【図３】
0004421011.tif 000004
【図４】
0004421011.tif 000005
【図５】
0004421011.tif 000006
【図６】
0004421011.tif 000007
【図７】
0004421011.tif 000008
【図８】
0004421011.tif 000009
【図９】
0004421011.tif 000010
【図１０】
0004421011.tif 000011
【図１１】
0004421011.tif 000012
【図１２】
0004421011.tif 000013
【図１３】
0004421011.tif 000014
【図１４】
0004421011.tif 000015
【図１５】
0004421011.tif 000016
【図１６】
0004421011.tif 000017
【図１７】
0004421011.tif 000018
【図１８】
0004421011.tif 000019
【図１９】
0004421011.tif 000020
【図２０】
0004421011.tif 000021
【図２１】
0004421011.tif 000022
【図２２】
0004421011.tif 000023
【図２３】
0004421011.tif 000024